(57)【特許請求の範囲】
【請求項１】
第一端から第二端に伸びる第一長手方向伸長ツールバーと、
前記第一長手方向伸長ツールバーに接続される複数のブラケットと、
前記ツールバーの支持構造と、
スナップ式クランプを用いて、前記第一長手方向伸長ツールバーに装着される補助部品と、
を備え、
前記第一長手方向伸長ツールバーは、外表面の経路を含む、コンベアフレーム。
【請求項２】
さらに、第二長手方向伸長ツールバーを備え、
前記第二長手方向伸長ツールバーは、前記第一長手方向伸長ツールバーと前記第二長手方向伸長ツールバーとの間に伸びる前記複数のブラケットによって、前記第一長手方向伸長ツールバーと平行に配置される、請求項１に記載のコンベアフレーム。
【請求項３】
前記スナップ式クランプは、一対の脚部を有する本体を備え、
第一脚部が、前記経路を係合するために内側に伸びる突き出し部を有する鉤型傾斜部を有する、請求項１に記載のコンベアフレーム。
【請求項４】
さらに、前記第一脚部の径方向内表面と前記突き出し部の間に伸びる摘みを備える、請求項３に記載のコンベアフレーム。
【請求項５】
前記第一長手方向伸長ツールバーは、前記摘みを係合するための軸方向ノッチを含む、請求項４に記載のコンベアフレーム。
【請求項６】
さらに、ブラケットに差し込まれる横方向伸長ツールバーと、
スナップ式クランプを用いて前記横方向伸長ツールバーに装着される補助部品と、
を備える請求項１に記載のコンベアフレーム。
【請求項７】
前記スナップ式クランプは、第一磁石を備え、
第一ツールバーは、第一磁石に付着する第二磁石を備える、請求項１に記載のコンベアフレーム。
【請求項８】
シャフトと、少なくとも前記シャフト外周部で長手方向に沿って伸びる経路と、を備える第一ツールバーと、
スナップ式クランプを用いて前記ツールバーに装着される補助部品と、を備え、
前記スナップ式クランプは、内表面を有するカラーと、第一傾斜部と、第二傾斜部を備え、
前記第二傾斜部は、前記経路に結合するよう構成される突き出し部を含み、
前記第二傾斜部は、さらに、前記内表面と前記突き出し部の間に伸びる摘みを含み、
前記第一ツールバーは、前記摘みを受けるための軸方向ノッチを含む、コンベアフレーム。
【請求項９】
前記内表面は、緩んだ状態における前記第一ツールバーの外表面より小さい曲率半径を有すると共に、前記カラーに前記第一ツールバーを装着するために引き延ばされた状態における前記ツールバーの曲率半径に適合するよう引き延ばされる、請求項８に記載のコンベアフレーム。
【請求項１０】
前記内表面は、緩んだ状態における前記第一ツールバーの外表面より大きい曲率半径を有すると共に、前記カラーに前記第一ツールバーを装着するために引き延ばされた状態における前記ツールバーの曲率半径に適合するよう圧迫される、請求項８に記載のコンベアフレーム。
【請求項１１】
さらに、前記補助部品と前記スナップ式クランプの間に伸びる接続具を備える、請求項８に記載のコンベアフレーム。
【請求項１２】
前記補助部品は、スプロケットと、送り込みシューと、摩耗ストリップと、摩耗ストリップ錠と、リターンウェイローラーと、側壁と、包含ブロックと、サイドガードと、位置制限具と、のうちの一つを備える、請求項８に記載のコンベアフレーム。
【請求項１３】
シャフトに部品を装着するためのスナップ式クランプであって、
第一脚部と、先細傾斜部で終了する第二脚部とを有する曲状本体と、
前記先細傾斜部から曲状本体の径方向内側に伸びる突き出し部と、
前記突き出し部と前記曲状本体の内表面との間に伸びる軸方向摘みと、
を備え、
曲状本体は、シャフトに結合可能であり、
突き出し部は、シャフト外周部で長手方向に沿って伸びる経路に係合可能であり、
軸方向摘みは、シャフト外周部に設けられる軸方向ノッチに係合可能である、
スナップ式クランプ。
【請求項１４】
前記曲状本体は、可撓性である、請求項１３に記載のスナップ式クランプ。
【発明の詳細な説明】
【技術分野】
【０００１】
（関連の特許出願）
本特許出願は、参照によって本明細書に援用される内容の、２０１４年１月２４日に出願された「スナップ式部品を含む洗浄可能なコンベアフレーム機構」と題される米国仮特許出願第６１／９３１０６６号への優先権を主張する。本特許出願は、同様に参照によって本明細書に援用される内容の、２０１４年１０月８日に出願された「コンベアベルト用スナップ式位置制限具」と題される米国仮特許出願第６２／０６１３４６号、及び２０１５年１月２２日に出願されたその後続の非仮特許出願（代理人整理番号２６０５Ａ）と関連する。
【０００２】
本発明は、全般的には動力駆動（ｐｏｗｅｒ−ｄｒｉｖｅｎ）コンベア用フレームに関し、特に、洗浄の容易なベルトコンベアフレームに関する。
【背景技術】
【０００３】
肉、鶏肉、果物及び野菜に関する産業において、コンベアベルトは、食品の運搬に使用される。コンベアベルトの大部分は、フレーム機構によって支持される運搬路（ｃａｒｒｙｗａｙｓ）に沿って支持される。米国農務省の公衆衛生要件を満足するため、コンベアベルトシステムは、洗浄可能でなければならない。特に、コンベア運搬路及びフレームは、脂肪、ほこり、汚染物の破片に敏感である。異なる部品間の複合接続具、フレーム及び運搬路での多くの部品、洗浄困難な隙間、及び他の事柄は、時には、コンベアベルトシステムの洗浄を難しくする。加えて、現在のコンベアシステムは、部品の交換及び／又は洗浄のための組み立てや分解が難しい。
【発明の概要】
【発明が解決しようとする課題】
【０００４】
それゆえ、洗浄が容易で、衛生的なコンベアベルトシステムに対する必要性が存在する。
【課題を解決するための手段】
【０００５】
この必要性や他の必要性は、本発明に係る特徴を具体化するコンベアシステムによって、取り組まれる。前記コンベアベルトは、経路を持つシャフトを備える一つ以上のツールバーを有するフレームを含む。スナップ式補助部品（ｓｎａｐ−ｏｎ  ａｕｘｉｌｉａｒｙ  ｃｏｍｐｏｎｅｎｔｓ）は、前記経路を係合する突き出し部を有するスナップ式クランプによってツールバーに係止することで、コンベアに組み入れられる。
【０００６】
本発明の一態様によれば、コンベアフレームは、第一端から第二端に伸びる第一長手方向伸長ツールバーと、前記第一長手方向伸長ツールバーに接続する複数のブラケットと、前記ツールバー用の支持構造と、スナップ式クランプを用いて前記第一長手方向伸長ツールバーに装着される補助部品と、を備える。
【０００７】
本発明の別の態様によれば、コンベアフレームは、シャフト及び少なくとも前記シャフト外周部分に沿って長手方向に伸びる経路を備える第一ツールバーと、スナップ式クランプを用いて前記ツールバーに装着される補助部品と、を備える。前記スナップ式クランプは、前記内表面と、第一傾斜部（ｔｉｐ）と、第二傾斜部とを備え、前記第二傾斜部は、前記経路に結合するよう構成される突き出し部を含む。
【０００８】
別の態様によれば、シャフトへ部品を装着するためのスナップ式クランプは、第一脚部、及び先細傾斜部で終了する第二脚部を有する曲状本体と、前記先細傾斜部から内部に向かって伸びる突き出し部と、を備える。
【図面の簡単な説明】
【０００９】
本発明に係るこれらの態様及び特徴は、下記の明細書本文、添えられる請求の範囲、及び添付の図面においてより詳細に記述される。
【００１０】
【図１】コンベア部品をコンベアフレームに取り付けるためのスナップ式クランプを含む一般化されたコンベア部品の概略図。
【図２】図２は、本発明に係る実施形態による、ツールバーを含むコンベアフレームを示す。
【図３Ａ】本発明に係る実施形態による、コンベアフレームに適するツールバーの部分等角図。
【図３Ｂ】別の実施形態による、ツールバーの断面図。
【図３Ｃ】別の実施形態による、ツールバーの断面図。
【図４】図２に示されるフレームの中央ブラケットの正面図。
【図５Ａ】図２に示されるフレームの駆動端ブラケットの背面等角図。
【図５Ｂ】図５Ａに示される駆動端ブラケットの正面等角図。
【図６Ａ】図２からの動いていない端（ｉｄｌｅ  ｅｎｄ）のブラケットの背面図。
【図６Ｂ】図２に示される、動いていない端のブラケットの正面図。
【図７】図７は、スプロケット及び装着された送り込みシュー（ｉｎｆｅｅｄ  ｓｈｏｅｓ）を持つ図２のフレームを示す。
【図８】図８は、図７に示される送り込みシュー機構を示す。
【図９】図９は、リターンウェイローラー（ｒｅｔｕｒｎｗａｙ  ｒｏｌｌａｒｓ）と、摩耗ストリップ（ｗｅａｒｓｔｒｉｐｓ）と、装着された包含ブロック（ｃｏｎｔａｉｎｍｅｎｔ  ｂｌｏｃｋ）とを、さらに含む図７のフレームを示す。
【図１０】図１０は、無端コンベアベルトをさらに含む図９のフレームを示す。
【図１１Ａ】図１１Ａは、装着された側壁をさらに含む図１０のフレームを示す。
【図１１Ｂ】図１１Ａのフレーム中央部の詳細図。
【図１２】図１２は、本発明に係る一実施形態による、コンベアフレームのツールバーへの装着に適する送り込みシューの実施形態を示す。
【図１３】図１３は、本発明に係る一実施形態による、コンベアフレームのツールバーへの装着に適する縁側送り込みシュー（ｅｄｇｅ  ｉｎｆｅｅｄ  ｓｈｏｅ）の実施形態を示す。
【図１４】図１４Ａ及びＢは、本発明に係る一実施形態による、コンベアフレームのツールバーへの装着に適する縁側送り込みシューの別の実施形態を示す。
【図１５】図１５Ａ及びＢは、本発明に係る一実施形態による、コンベアフレームのツールバーへの装着に適する縁側送り込みシューの別の実施形態を示す。
【図１６】図１６は、本発明に係る一実施形態による、コンベアフレームのツールバーへの装着に適するリターンウェイローラー機構の実施形態を示す。
【図１７】図１７は、本発明に係る一実施形態による、コンベアフレームのツールバーへの装着に適する包含ブロックの実施形態を示す。
【図１８】図１８は、本発明に係る一実施形態による、コンベアフレームのツールバーへの装着に適する包含ブロックの別の実施形態を示す。
【図１９】図１９は、本発明に係る一実施形態による、コンベアフレームの使用に適する摩耗ストリップ錠（ｗｅａｒｓｔｒｉｐ  ｌｏｃｋ）の実施形態を示す。
【図２０】図２０は、本発明に係る一実施形態による、コンベアフレームの使用に適する別の摩耗ストリップ錠を示す。
【図２１】図２１Ａ及び２１Ｂは、図１９及び２０に示される摩耗ストリップ錠を含むコンベアフレームの端部を示す。
【図２２】図２２Ａ，２２Ｂ及び２２Ｃは、本発明に係る実施形態による、コンベアフレームのツールバーへの装着に適する、ロックインプレース式分裂スプロケット（ｌｏｃｋ−ｉｎ−ｐｌａｃｅ  ｓｐｌｉｔ  ｓｐｒｏｃｋｅｔ）の異なる図である。
【図２３】図２３Ａ及び２３Ｂは、ロックインプレース式スプロケットの別の実施形態を示す。
【図２４】図２４Ａ及び２４Ｂは、本発明に係る実施形態による、コンベアフレームのツールバーへの装着に適する側壁機構を示す。
【図２５】図２５は、本発明に係る実施形態による、ツールバーに装着された下部サイドガード（ｌｏｗｅｒ  ｓｉｄｅ  ｇｕａｒｄ）機構を含むコンベアを示す。
【図２６】図２６Ａ及び２６Ｂは、図２５に示される下部サイドガード機構を示す。
【図２７】図２７は、本発明に係る実施形態による、コンベアフレームのツールバーへの装着に適する位置制限具を示す。
【図２８】図２８Ａ及び２８Ｂは、本発明に係る別の実施形態による、ツールバーに装着される摩耗ストリップを含むコンベアフレームの一部分を示す。
【図２９Ａ】図２９Ａは、コンベアフレームのツールバーに装着するコンベアフレーム部品を説明する。
【図２９Ｂ】図２９Ｂは、ツールバー上へ装着される図２８Ａの前記部品を示す。
【図３０Ａ】図３０Ａは、ツールバーに装着されるコンベアフレーム部品の別の実施形態を示す。
【図３０Ｂ】図３０Ｂは、ツールバー上に装着される図３０Ａのコンベアフレーム部品を示す。
【図３１】図３１は、本発明の別の実施形態による、コンベアフレームシャフトに装着されるスプロケットを示す。
【図３２】図３２は、コンベアシャフトに装着される一対の補正スプロケット（ｏｆｆｓｅｔ  ｓｐｒｏｃｋｅｔｓ）を示す。
【図３３】図３３Ａから３３Ｃは、装着可能なコンベアスプロケット及びコンベアフレームシャフトの別の実施形態を示す。
【図３４】図３４は、シャフトの通し穴を通じてシャフトに装着されるコンベア部品の別の実施形態を示す。
【図３５】図３５は、磁石を用いてシャフトに装着されるコンベア部品の別の実施形態を示す。
【図３６】図３６は、コンベアシャフトに装着される、コンベアシャフト及びスプロケットの実施形態を示す。
【図３７】図３７は、コンベアフレーム部品に装着される、位置制限具及びシャフトの実施形態を示す。
【図３８】図３８は、衛生的な車輪を持つコンベアフレームを示す。
【発明を実施するための形態】
【００１１】
衛生的なコンベアは、フレームと、容易な洗浄とコンベアの再構成を許容するために、前記フレームに取り外し可能に装着され得る複数の補助部品と、を備える。補助部品は、道具の使用なしに、又は最小限の道具の使用によって、フレームに設置され、留められ、及び取り外されてもよい。本発明の実施形態は、ツールバーとして述べられるコンベアのシャフトにおける経路と係合する突き出し部のようなアンカーを有するスナップ式クランプを用いる。スナップ式クランプの本体は、シャフトの本体と結合する。任意には、軸方向摘みは、ツールバーのシャフトにおけるノッチ又は台座を係合する。スナップ式クランプの緩んだ本体は、シャフトと異なるものであってもよいが、シャフトに適合し所定位置で係止するため、引き延ばされ、又は圧迫されてもよい。スナップ式クランプは、操作中、シャフトに対して軸方向及び／又は径方向への前記部品を係止する間、部品をシャフトに区別なく装着するよう用いられてもよい。前記補助部品のロックインプレース構造は、留め具や他の道具なしにシャフト上の組み立てを可能にする。本発明は、いくつかの実例的な実施形態に関して下記されるものであるが、本発明は、その実例的な実施形態に限定されるものではない。
【００１２】
図１は、コンベアフレームにコンベア部品を取り付けるためのスナップ式クランプを含む一般化されたコンベア部品２の概略図である。コンベア部品２は、コンベアシステムにおいていくつかの機能を果たす機能部分（ｆｕｎｃｔｉｏｎａｌ  ｐｏｒｔｉｏｎ）３と、コンベアフレームにコンベア部品を一体化（結合）するためのスナップ式クランプ４と、を含む。スナップ式クランプ４は、脚部６，７を含む本体５を備える。実例の本体５は、半環状であり、コンベアフレームに、ツールバーのようなシャフトを係合するよう設計される。静止した（ｒｅｓｔｉｎｇ）本体５の形状は、ツールバーの形状と異なるものであってよく、対応するシャフト上の所定位置にスナップ式クランプを係り留めるよう引き延ばされ、又は圧迫されてもよいような可撓性であってもよい。第二脚部７は、スナップ式クランプをしっかり固定するための鉤型傾斜部８で終了する一方で、第一脚部６は、平端表面で終了する。鉤型傾斜部８は、経路又はツールバー上の他の機構と係合する。摘み９は、前記クランプの径方向内表面と鉤型傾斜部８の間に伸びる。摘み９は、下記するように、対応するシャフト上の凹所に適合する。
【００１３】
スナップ式クランプ４の剛性と張力は、使用される材料、脚部の厚さ、把持部品の巻き具合、及び変化され得る他の因子に応じて変化されてもよい。
【００１４】
下記するように、コンベア部品の機能部分は、いずれの適切なサイズ、形状、選択される役割を果たすために適する構成であってよい。加えて、新規のスナップ式クランプ構造は、コンベア部品に限定されない、いずれの種類の部品をシャフトに装着させるよう用いられてもよい。
【００１５】
図２から１０Ｂを参照すると、本発明に係る一実施形態の衛生的なコンベア１１は、フレーム基部と、前記フレームの各側部を形成する一対の相隔たる平行ツールバーを含む複数のツールバー１０と、前記ツールバー又はフレーム部品に装着される複数のロックインプレース補助部品と、を含む。
【００１６】
前記フレームは、十分な強度を保証しつつ、洗浄能力を高めるための単純化及び統一を通じて、部品を最小化する。
【００１７】
前記フレーム基部は、レーザー切断された、機械加工された、成形された、又は他の方法で形成された部品を備えると共に、脚部１５と、長手方向支持レール１６と、横方向支持レール１７と、斜め支持梁１８と、一つ以上のブラケットと一体化してもよい垂直接続梁１９と、を含む。前記基部は、単純であり、最小限の部分（部品）を備える。基部の構造は、特定の用途に応じて変化されてもよいが、ここに示される実施形態に限定されない。フレーム基部の部品は、つるされる、片持ち梁のように作られる、又は他の方法で作られてもよい。
【００１８】
実例のコンベアフレームは、コンベアの第一端からコンベアの第二端まで伸びる一対の相隔てられた平行ツールバー１０ａ，１０ｂを含む。代替方法として、単一又は複数のツールバーが用いられる。コンベアの長さを渡す代わりに、コンベアは、コンベアの側部に沿って伸びるより小さい複数のツールバーを含んでもよい。ブラケット２０，３０及び４０は、ツールバー１０ａ，１０ｂの間に伸び、これらを接続する。ブラケット２０,３０及び４０は、下記するように、摩耗ストリップを受ける上部凹所を含む。ツールバー１０ａ，１０ｂは、ブラケットの凹所に差し込まれ、いずれの適切な手段を通じて保持される。
【００１９】
図３Ａに示されるように、各ツールバー１０は、断面円形又はＤ形状を有し、ステンレス鋼や別の適切な材料であってもよい、中空でない又は空洞のシャフトを備える。ツールバー１０は、補助部品をしっかりと固定するための長手方向の経路１２を含む。実例の経路１２は、ツールバーシャフトの長さに沿って連続するが、本発明は、これに限定されない。一度シャフトに装着された時点でシャフトに対する補助部品の回転を防ぐため、長手方向経路１２は、図１の部品２の鉤型傾斜部８のような、補助部品の突き出し部と係合する。一度シャフトに装着された時点で補助部品のスライドを防ぐため、同様にツールバーは、図１の部品２の摘み９のような、補助部品上の摘みを係合するための軸方向ノッチ１３を含む。
【００２０】
ツールバー１０は、シャフトの外周の異なる位置にある複式経路１２を有してもよい。例えば、図３Ｂは、ツールバー上に前記部品を装着し、前記部品と接続するスナップ式クランプを適切に係合するためのツールバー１０’の別の実施形態の断面図である。ツールバー１０’は、円形上部２１１と、平坦底表面２１３と、円形上部２１１及び平坦底表面２１３の交差部分にある経路２１２を備える。経路は、放物状の断面を有するが、本発明は、これに限定されない。
【００２１】
図３Ｃは、スナップ式クランプを適切に係合するためのツールバー１０’’の別の実施形態の断面図である。ツールバー１０’’は、実質的に丸く、鏡像型の経路２１２’’を持つ。実例の経路２１２’’は、例えば、頂部２１５から約９０°と約１７０°の間であって、ツールバー１０’’の側下部に形成される。経路は、対応するスナップ式クランプの突き出し部を適切に係合するいずれの構造とサイズを有していてもよい。
【００２２】
ツールバーは、コンベアの長さ全体に沿って伸びる必要はない。例えば、代替方法として、ツールバーは、補助部品を係止するための長手方向の経路を有する一つ以上の突起を備えてもよい。突起は、ブラケット又は他のフレームの部品から伸び、又はこれらに取り付けられてもよい。付加ツールバーは、コンベアの他の位置に補助部品を装着するために含まれてもよい。例えば、横方向のツールバーが、送り込みシュー及び／又は他の部品を装着するための動いていない端や、スプロケット、位置制限具及び／又は他の部品を装着する駆動端、又はコンベアの長さに沿った中間位置で、提供される。
【００２３】
実例の実施形態において、中央ブラケット２０は、フレーム１１の中央で、二つのツールバー１０ａ，１０ｂ間で横方向に伸びる。図４は、中央ブラケット２０の実施形態を示す。中央ブラケットは、摩耗ストリップを受けるための上部凹所２２を有するプレートを備える。実例の上部凹所２２は、円形の洗浄室を含むが、本発明は、これに限定されない。上部凹所は、限定されるものではないが、摩擦固定、係合係止又は他の適切な連結手段を含むいずれの適切な手段を通じて、摩耗ストリップを係合する。一度シャフトに装着された時点で補助部品のスライドを防ぐため、同様にツールバーは、図１の部品２の摘み９のような、補助部品の摘みを係合するための軸方向ノッチ１３を含んでもよい。
【００２４】
図５Ａ及び５Ｂを参照すると、コンベア２の駆動端に配置される駆動端ブラケット３０は、摩耗ストリップを係合するための上部凹所３２を含んでもよい。駆動端ブラケット３０は、さらに、駆動スプロケットを装着するためのスロット３４を有するサイドプレート３１を含む。実例のサイドプレート３１は、さらに、位置制限機構を装着するための制限機構スロット３６と、所定位置に位置制限機構を係止するための窓部３８を含むが、本発明は、これに限定されない。ツールバー１０ａ，１０ｂは、いずれの適切な手段を通じて、サイドプレート３１の外側部に取り付けられる。
【００２５】
図６Ａ及び６Ｂを参照すると、コンベア２における動いていない端に配置される、動いていない端のブラケット４０は、上部凹所４２とサイドプレート４１を含む。サイドプレートは、下記するように、送り込みシュー機構シャフトの装着摘みを受けるためのスロット４４を含む。ツールバー１０ａ，１０ｂは、いずれの適切な手段を通じて、サイドプレート３１の外側部に取り付けられる。
【００２６】
ブラケットは、実例の実施形態に限定されない、いずれの適切な形状を有してよい。ブラケットは、サイドツールバーと結合するというよりはむしろ、中央シャフトに装着されるよう設計される。同様にブラケットは、コンベアベルトを食べる（ｔｒｏｕｇｈ）ための曲状上縁を有してもよい。
【００２７】
様々な補助コンベア部品は、スナップ式接続具（ｓｎａｐ−ｆｉｔ  ｃｏｎｎｅｃｔｉｏｎ）を用いてコンベアフレームに取り付けられる、及び取り外されるようにしてもよい。補助コンベア部品の例は、限定されるものではないが、送り込みシューと、送り出しシューと、摩耗ストリップと、摩耗ストリップ錠と、リターンウェイローラーと、側壁と、包含ブロックと、位置制限具と、サイドガードと、スクレーパー機構と、コンベアで選択された役割を果たす他のいずれの部品を含む。
【００２８】
図７に示されるように、駆動スプロケット５０は、駆動端ブラケット３０に装着されてもよく、送り込みシュー機構６０は、動いていない端のブラケット４０に装着されてもよい。実例の駆動スプロケット機構は、共にコンベアベルト用スナップ式位置制限具と題され、参照によって本明細書に援用される内容の２０１４年１月２４日に出願された米国仮特許出願第６１／９３１０５８号及び２０１４年１０月８日に出願された米国仮特許出願第６２／０６１３４６号に記述される位置制限機構を含むが、本発明は、位置制限具を持つ駆動スプロケット機構に限定されない。
【００２９】
必要に応じて、駆動端ブラケット３０は、直角を成すモーター（ｒｉｇｈｔ−ａｎｇｌｅｄ  ｍｏｔｏｒ）を収容してもよい。
【００３０】
送り込みシュー機構６０と、動いていない端のブラケット４０に装着される図8に示される実例は、ツールバー１０ｃのような、サイドプレート４１間に伸びるシャフトを備える。実例のツールバー１０ｃは、サイドプレート４１のスロット４４に嵌合するよう構成される摘み６２を含む。ツールバー１０ｃは、底表面に形成される経路１２ｃを含む。コンベアベルトの案内のための送り込みシュー６４ａ，６４ｂ，６４ｃは、下記されるように、スナップ式接続具を通じて、ツールバー１０ｃに装着され、保持される。実例の送り込みシュー機構６０は、二つの縁側送り込みシュー６４ａ，６４ｃと、二つの内側送り込みシュー６４ｂを含む。コンベアベルトを案内するための他の適切な手段が、代替的に使用されてもよい。
【００３１】
図９に示されるように、コンベアベルトに対する支持表面を形成する摩耗ストリップ７０は、ブラケット２０，３０，４０の上部凹所２２，３２，４２に装着されてもよい。摩耗ストリップは、ブラケットに摩耗ストリップ７０を固定するための摩耗ストリップ錠７２，７４を含むが、他の適切な取付手段が用いられてもよい。例えば、摩耗ストリップ端は、横方向のツールバー上に装着されるよう構成されるスナップ式クランプを用いてもよく、摩耗ストリップは、別の装着構造に差し込まれてもよい。摩耗ストリップは、複数の結合部品を備えてもよい。
【００３２】
リターンウェイローラー機構８０は、リターンウェイにコンベアベルトを支持するためのコンベアベルトの長さ（丈）に沿った間欠的な位置でツールバー１０ａ，１０ｂに装着されてもよい。同様に包含ブロック９０は、コンベアベルトの動いていない端の近くに描かれるように、一つ以上の位置でツールバーに装着されてもよい。
【００３３】
図１０に示されるように、例となるコンベアフレームは、運搬路に沿ってフレームの第一端からフレームの第二端に製品を搬送するための、フレームの第一端からフレームの第二端の間に渡る無端コンベアベルト４を支持し得る。無端コンベアベルト４は、摩耗ストリップ７０やリターンウェイ下方を渡る運搬路を形成するため、駆動スプロケット５０や送り込みシュー６４ａ，６４ｂ，６４ｂの周りに向けられる（ｔｒａｉｎ）。リターンウェイローラー機構８０のリターンウェイローラーは、リターンウェイでたるみを支持する。実例のコンベアベルト４は、ロサンゼルスのｈａｒａｈａｎ有限責任会社であるＩｎｔｒａｌｏｘから得られるＴｈｅｒｍｏｄｒｉｖｅ（登録商標）コンベアベルトであるが、いずれの適切なコンベアベルトが、コンベアフレーム２に支持され得る。
【００３４】
例となるコンベアフレームは、フレームの第一端からフレームの第二端の間に渡るコンベアベルトを支持する。コンベアベルトは、運搬路に沿って第一端から第二端に製品を搬送する。コンベアベルト４０は、運搬路の各端で逆進要素（ｒｅｖｅｒｓｉｎｇ  ｅｌｅｍｅｎｔｓ）の周りに向けられ、運搬路下のリターンウェイに沿って戻されてもよい。
【００３５】
図１１Ａ及び１１Ｂ（詳細図）を参照すると、側壁のような付加補助部品が、組み込まれてもよい。実例の実施形態において、側壁１０１は、ツールバー１０ａ，１０ｂに装着される垂直接続具１１０を用いて所定位置に保持される。
【００３６】
図１２は、コンベアベルト２の動いていない端で、送り込みシュー機構６０のツールバーシャフトに装着可能な内側送り込みシュー６４ｂの実施形態を説明する。内側送り込みシューは、コンベアベルトと接触するための外周６５を備える機能部分を有する。外周６５は、約１８０°に渡って伸びる円弧という形である。中央ハブ６６は、シャフトに送り込みシュー６４ｂを取り付けるためのスナップ式クランプを形成する。スポーク６７は、中央ハブを外周６５に接続する。中央ハブは、鉤型係合傾斜部６８の一端で終了する要素を把持する、実質的に半円を形成する。鉤型傾斜部は、ツールバー１０ｃ上の経路１２ｃと係合する突き出し部６９を形成する。ツールバー１０ｃに内側送り込みシュー６４ｂを装着するために、突き出し部６９が、経路１２ｃを係合し、ハブ６６の内表面が、ツールバーの外表面を巻いて当接するよう、中央ハブ６６は、ツールバー１０ｃをまたいで設置され、ツールバー１０ｃとの係合を後押しする。中央ハブ６６は、ツールバー１０ｃに適合するため僅かに曲がってもよい。ハブ６６の内表面は、洗浄用凹所（図示しない）を含んでもよい。突き出し部６９と経路１２ｃ間の係合は、ツールバー１２ｃに対する送り込みシューの径方向への運動を防止する。
【００３７】
図１３に示されるように、外側送り込みシュー６４ａは、さらに、機能部分に周縁６９を含む。周縁６９は、コンベアベルトの縁を案内するために外周６５’へ垂直に伸びる。
【００３８】
図１４Ａ及び１４Ｂは、内側送り込みシュー１６０の別の実施形態を示す。内側送り込みシューは、スナップ式クランプを形成する中空でないカラーを備える。カラーは、第一及び第二脚部１６２，１６３を形成する。突き出し部１６８は、シュー１６０が装着されるツールバーと結合される軸方向の凹所と係合するため、第一脚部１６２から内側に向かって伸びる。
【００３９】
図１５Ａ及び１５Ｂは、スナップ式クランプカラー１６６’の外表面に垂直に伸びる周縁１６９を含む縁側送り込みシュー１６２の別の実施形態を示す。
【００４０】
図１１から１５Ｂに示される送り込みシューは、成形されたプラスチック部品であってもよい。
【００４１】
図１６は、ツールバー１０ａ，１０ｂに装着可能なリターンウェイローラー機構８０の実施形態を説明する。リターンウェイローラー機構８０は、軸８２によって接続され、端摘み８３を有する一連のローラー８１を含む。接続具８４は、第一端８５で前記端摘みを受ける。第一端８５は、Ｊ型フック、スナップ式クランプ又は他の適切な受け具であってもよい。接続具８４の第二端は、ツールバー１０に接続具を係止するためのスナップ式クランプ８６を形成する。スナップ式クランプ８６は、ツールバー１０の経路１２に差し込み可能な突き出し部８７を含む。下部接続具８５の軸は、上側のスナップ式クランプ８６の軸と垂直である。本体８８は、上側と下側の接続具８６，８５を接続する。実例の本体８８は、垂直リブを含むが、本体８８は、例えば、ねじれ形状のような、垂直接続具を適合させるためのいずれの適切な構成を有してもよい。同様に本体８８は、リターンウェイでコンベアベルトの縁を包含するためのブロックを形成する又は接続する。実例の接続具８４は、成形されたプラスチック部品であってもよい。
【００４２】
上部スナップ式クランプ８６は、ツールバーを覆ってクランプを設置し、ツールバーシャフトの周りの箇所にクランプを押すことによって、ツールバー１０ａ，１０ｂにそれぞれ接続され、突き出し部がツールバー上で経路１２を係合する。
【００４３】
実例のローラー８１は中空でないものであるが、ローラーは、代替的に、スポークを取り付けた車輪（ｓｐｏｋｅｄ  ｗｈｅｅｌｓ）、空洞ローラー又は他の適切な構造であってもよい。
【００４４】
図１７は、ツールバー１０ａ又は１０ｂに装着され得る包含ブロック９０の実施形態を示す。ツールバー９０は、ツールバー１０の経路１２への差し込みのための突き出し部９２を有する先細傾斜部９３を含む上部スナップ式クランプ９１と、コンベアベルト縁を案内するための下部ブロック９５を備える機能部分と、接続本体９６と、を含む。包含ブロック９０は、成形されたプラスチック部品であってもよい。
【００４５】
図１８は、突き出し部１９２と先細傾斜部１９３を有する上部スナップ式クランプ１９１と、下部ブロック１９５と、Ｊ型フックやスナップ式クランプや他の適切な接続具であってもよい下部接続具１９７と、下部ブロック１９５及び上部スナップ式クランプ１９１間の中間接続本体１９８と、を含む包含ブロック１９０の別の実施形態を示す。
【００４６】
図１９は、摩耗ストリップ錠７２の実施形態を示す。実例の成形されたプラスチック製の摩耗ストリップ錠７２は、端ブラケット４０と第一中間ブラケット２０ａにおける上部凹所で受けられる。摩耗ストリップ錠７２は、ブラケットの上部凹所を係合するための側表面に凹所７３を含む。下部脚部７５は、メイン摩耗ストリップ錠本体にある角度で伸び、ブラケットに摩耗ストリップ錠７２を固定するよう、ブラケットの底凹所を係合するための、メイン摩耗ストリップ錠本体に対して平行な平坦下部傾斜部を含む。
【００４７】
図２０は、第一摩耗ストリップ錠７２に結合する、成形されたプラスチック製の摩耗ストリップ錠７４の別の実施形態を示す。第二摩耗ストリップ錠７４は、補正（ｏｆｆｓｅｔ）を伴うと共に、平行接続部７４ｃによって平行本体部７４ａ，７４ｂを持つ主部を有する。第一本体部の側部凹所７６は、ブラケットの上部凹所の中の摩耗ストリップ錠を固定する。下部脚部７６は、所定位置で摩耗ストリップ錠７４を固定するブラケットの下部凹所を係合する。摩耗ストリップ錠７４の前端７８は、図２１Ａ及び２１Ｂに示されるように、摩耗ストリップ７０を係合し、後部平坦部７４ｂは、第一摩耗ストリップ錠７２の本体に重なり、対面する。
【００４８】
一実施形態によれば、駆動スプロケットは、駆動軸を形成するツールバーシャフトに装着されるロックインプレース式分裂スプロケットであってもよい。ロックインプレース式分裂スプロケット１５０の実施形態が、図２２Ａから２２Ｃに示される。ロックインプレース式分裂スプロケット１５０は、周辺歯１５１を有するスプロケットを形成するよう対になる二つの半スプロケット１５０ａ，１５０ｂを備える。内側ハブは、スプロケットブラケット３０のような、スプロケットフレームに接続されるツールバーシャフトの経路に結合するよう構成される突き出し部１５３を有するスナップ式クランプ１５２を形成する。軸方向摘み１５４は、ツールバーシャフトの軸方向凹所で受けられる。一度ツールバーシャフトに装着された時点で、半スプロケットは、結合の解除を防がれる。
【００４９】
図２３Ａ及び２３Ｂは、軸を形成するツールバーに装着可能な二つの半スプロケット２５０ａ，２５０ｂを備えるロックインプレース式分裂スプロケットの別の実施形態を示す。各半スプロケット２５０ａ，２５０ｂは、周辺歯２５１を含む。各半スプロケット２５０ａ，２５０ｂは、少なくとも１８０°に渡って弧をなし、一対の脚部２５２，２５３を形成する。第一脚部は、突き出し部２５５を含む先細傾斜部２５４を含む。軸方向摘み２５６は、本体と突き出し部２５５から伸びる。各半スプロケット２５０ａ，２５０ｂは、ツールバーの軸方向凹所を係合する軸方向摘み２５６の各々によって、ツールバーの分離経路と係合する。ツールバー上に隣り合って係止される際、半スプロケット２５０ａ，２５０ｂは、スプロケット２５０の外周に関して歯を形成する。いくつかの歯２５１は、一列に並んでもよい。
【００５０】
図２４Ａ及び２５Ｂは、図１１Ａ及び１１Ｂに示されるように、コンベアベルトを束縛するためのツールバー１０ａ，１０ｂの一つに装着され得る側壁機構１０２の実施形態を示す。各側壁１０１は、頂上部（ｒｉｄｇｅ）１０３を伴う平坦内表面及び外表面を有する成形されたプラスチック製の部品である。同様に成形されたプラスチック製の部品であってもよい垂直接続具１１０の各々は、頂上部１０３を受けるための上部接続具１１１と、接続具本体１１２と、ツールバー１０ａ又は１０ｂに接続具１１０を装着するための下部スナップ式クランプと、を有する。下部スナップ式クランプ１１３は、ツールバー１０ａ又は１０ｂの経路１２にスナップ式クランプ１１３を係止するための突き出し部１１５を有する先細傾斜部１１４を形成する円弧状本体を含む。
【００５１】
図２５に示されるように、ツールバー１０ａ及び／又は１０ｂは、コンベア２に一つ以上の下部サイドガード機構１２０を取り付けるよう用いられてもよい。図２６Ａ及び２６Ｂは、下部サイドガード機構１２０を示す。下部サイドガード機構１２０の各々は、成形されたプラスチック製でもよく、内側に向けて曲げられた上部と、壁１２１に取り付けられる本体１２４及び壁に伴って曲がりさらに内側に曲がって先細傾斜部１２６で終了する上部スナップ式クランプ１２５を含む接続具１２３と、を有する壁１２１を含む。先細傾斜部１２６は、ツールバーの経路１２で受けられるよう構成される突き出し部１２７を含む。下部サイドガード機構１２０は、突き出し部１２７が経路を係合するよう、スナップ式クランプをツールバー周囲に留めることによって、ツールバーに装着されてもよい。任意には、スナップ式クランプ１２５の軸方向摘みは、所定位置に装着された後のツールバーに沿った下部サイドガード機構１２０のスライドを防ぐために、ツールバーの軸方向凹所を係合するようにしてもよい。接続具１２３は、装着される際に、接続具が、同様にツールバーに装着されるリターンウェイローラー機構８０及び／又は側壁機構１０１のような、他の補助部品から間隔を空けるよう、壁１２１に沿って配置される。
【００５２】
図２７は、スプロケットの下に設置されるツールバーに位置制限具を装着するためのスナップ式位置制限具１３０の実施形態を示す。位置制限具は、スプロケットとコンベアベルトの間の適切な係合を保証する。位置制限具は、凹部と凸部を有する上部境界面（ｕｐｐｅｒ  ｌｉｍｉｔｉｎｇ  ｓｕｒｆａｃｅ）１３１を含む機能部分と、本体と、ツールバーを係合するための曲状カラーと、ツールバーの経路を係合するための突き出し部１３６を形成する鉤型傾斜部１３５を有するスナップ式クランプ１３４と、を含む。同様に実例のスナップ式クランプ１３４は、ツールバーの軸方向ノッチを係合するための軸方向摘み１３７を含む。
【００５３】
図２８Ａ及び２８Ｂは、スナップ式接続具を用いてツールバー１０に装着される摩耗ストリップ１８０を含むコンベアフレームの一部分を示す。摩耗ストリップの各々は、ツールバーの経路を係合するための摘みと、任意には、ツールバーに対して摩耗ストリップ１８０の軸方向及び径方向の双方の位置を維持するよう、経路の軸方向凹所を係合する突き出し部を有するスナップ式クランプを形成する曲状端を含む。
【００５４】
図２９及び２９Ｂは、本発明に係る別の実施形態による、スナップ式コンベアスプロケットの実施形態を示す。図２９Ａは、ツールバー２１０へのスプロケット２００の装着中で、緩んだ状態（ｒｅｌａｘｅｄ  ｓｔａｔｅ）にあるスプロケット２００を示す。スプロケット２００は、コンベアベルトを駆動するための周辺歯２０４を有するカラー２０５を含む。同様にカラー２０５は、スプロケットをしっかり固定するために、ツールバー２１０の経路２１２ａに差し込まれる第一端摘み２０６を含む。カラーは、所定位置で係止するため、ツールバーを渡って伸びるような大きさと構成を備える。伸びる際、ツールバーの別の経路２１２ｂは、別の端摘み２０７を受け、ツールバー２１０の所定位置にスプロケット２００を係止する。
【００５５】
図３０Ａ及び３０Ｂに示されるように、別の実施形態によれば、スプロケット又は他の補助部品のためのスナップ式クランプは、ツールバーに部品を係止するため圧迫されてもよい。例えば、静止状態である図３０Ａに示されるように、スプロケット２２０は、ツールバー２１０の経路２１２ａに差し込まれる第一端摘み２２６と、ツールバー２１０の第二経路２１２ｂを通り越して伸びる第二端摘み２２７を有する。経路２１２ａに第一端摘み２２６をしっかり固定した後、図３０Ｂに示されるように、カラー２２５は、第二経路２１２ｂに第二端摘み２２７を収容するよう圧迫され、ツールバーにスプロケット２２０を固定する。実例の機能部品は、周辺歯２２９を含むうえ、補助部品は、必要に応じた役割を果たすためのいずれの構成を有してもよい。
【００５６】
図３１は、スプロケット又は別のシャフト３１２に結合される補助部品を取り付けるためのスナップ式クランプを含むスナップ式スプロケット３００の別の実施形態を示す。スプロケットは、周辺歯３１４を持つディスク型本体３１３を含む。本体は、シャフトを受けるための通し穴３１６を含む。通し穴３１６は、シャフトがスプロケット座部から抜け出ることを防ぐと同時に、スプロケット座部へのシャフトの差し込みを許容するための傾斜面３１８を有する突き出し部３１７を含む。スプロケット座部の角は、スプロケット材料における、より少ない応力によって通し穴の曲がりを許容する曲げ軽減（ｆｌｅｘ  ｒｅｌｉｅｆ）を提供するために、切り抜き部３１９を含んでいてもよい。一実施形態において、スプロケット座部は、シャフトからスプロケットの取り外しを支援するための道具の差し込みを許容するツール切り抜き部（ｔｏｏｌ  ｃｕｔ  ｏｕｔ）３２１を含む。成形された通り穴３１６は、比較的容易に組み立てられるけれども分解がより困難な、スプロケットとシャフトの間のスナップ式締まり嵌め（ｓｎａｐ−ｏｎ  ｉｎｔｅｒｆｅｒｅｎｃｅ  ｆｉｔ）を可能にする。
【００５７】
図３２に示されるように、複式スプロケット３００は、駆動ベルトの歯の外周全てを与えるため、互いに隣接して装着され、各々から径方向に補正される。実例のスプロケットは、通し穴３１６が、互いに逆向きとなるよう、１８０°補正であるが、本発明は、これに限定されない。
【００５８】
図３３Ａから３３Ｃは、スナップ式スプロケット４００の別の実施形態を示す。スナップ式スプロケット４００は、周辺歯４１４を持ち、ディスク状に成形される本体４１３を含む。本体４１３は、シャフト４１２から伸びるカム突き出し部を有するシャフト４１２を受けるためのシャフト座部で終了する通し穴４１６を含む。通し穴４１６は、くさび状に成形された凹所４１７を形成するよう広がる。図３３Ａに示されるように、シャフト４１２が、シャフト座部に向けて通し穴４１６を通過した後、シャフト上にスプロケットを係止するため、図３３Ｂに示されるように、スプロケットが回転される。シャフトのカムは、図３３Ｃに示されるように、シャフト４１２にスプロケット４００を係止するため、くさび状に成形された凹所４１７の壁を係合する。カムと凹所は、締まり嵌めを可能とする、いずれの適切なサイズ、形状及び構成を有するものであってもよい。別の実施形態において、コンベアの補助部品は、シャフトに貫通孔を通して補助部品を固定することにより、シャフトのようなコンベアフレーム部品に装着されてもよい。図３４に示されるように、ツールバーシャフト５１０は、貫通孔５１３を含む。位置制限具５２０として示される補助部品は、貫通孔５１３を通じて固定されるよう構成される柄５２１を含む。柄５２１は、シャフト５１０に補助部品を係止するため、シャフトの下面を係合する足部５２２又は他の特徴部を含む。
【００５９】
図３５は、スナップ式クランプを作り出すために磁石を用いてシャフトにコンベア補助部品を装着する別の方法を示す。実例のコンベア補助部品６２０は、位置制限具として機能する位置制限部６２５と、シャフトを取り囲むクランプ部６２２と、足部６２３と、磁石６３０と、を含む。シャフト６１０は、シャフト６１０に対して所定位置に部品６２０を保持するための磁石６３０への磁石６３１を含む。
【００６０】
図３６は、コンベア補助部品をコンベアフレームに装着する別の方法を示す。図３６の実施形態において、シャフト部７０２に装着される、又は一体的に形成されるスプロケット７００として示される補助部品は、前記部品をコンベアフレーム部品７１０に装着するための端部に位置する溝７０４を含む。コンベアフレーム部品７１０は、シャフト７０２の周りに留まるための可撓部を含む。
【００６１】
図３７に示されるように、補助部品のシャフト部８０２は、四角形又は他のいずれの適切な形状に代えて円形でもよい。図３７の補助部品８００は、位置制限具を含むが、本発明は、これに限定されない。シャフト部８０２は、溝８０４を用いた締まり嵌めによって、コンベアフレーム部品８１０に装着するための溝を含む。
【００６２】
カラーを備えるスナップ式クランプ、鉤型傾斜部及び鉤型傾斜部の突き出し部は、突き出し部を受けるための経路を有するツールバーシャフトに、いずれの適切な部品を装着して用いられてもよい。例えば、ツールバー１０ａ，１０ｂといったツールバーに装着され得る他のスナップ式部品は、ベルトを案内するための、斜面から水平に遷移する箇所のローラーのような他のコンベア補助部品を含む。案内ローラーは、ベルトの上縁と接触し、スナップ式クランプ又は他の係止手段を用いてツールバーに留めてもよい。スナップ式クランプ又は他のスナップ式構造を用いて装着されてもよいコンベアにおける部品の他の例は、スナップ式所定位置洗浄（ｃｌｅａｎ−ｉｎ−ｐｌａｃｅ）ノズル又は所定位置洗浄衛生レールに限られないが、スナップ式導管ブラケット、標準のＪベルトリフターのスナップ式フック、スナップ式製品傾斜台、スナップ式迂回アーム（ｓｎａｐ  ｏｎ  ｄｉｖｅｒｔｉｎｇ  ａｒｍｓ）、スナップ式フォトアイ（ｐｈｏｔｏ−ｅｙｅｓ）、スナップ式カバー、スナップ式滴受け、スナップ式まな板（ｃｕｔｔｉｎｇ  ｂｏａｒｄ）、及び他の部品を含む。
【００６３】
それに加えて、実例のスナップ式構造は、ワイドコンベアを構成するよう用いられてもよい。
【００６４】
さらに、代替のスナップ式クランプは、いずれの適切な補助コンベア部品をコンベアフレーム部品に装着するよう用いられてもよい。
【００６５】
特に実例のスナップ式構造に係る、コンベアフレームのロックインプレイス式部品の使用は、必要に応じて、ツールバー及び軸のない機構部分の周りの部品の最小限の回転を伴う安全（確実）な接続を保証する。前記部品は、配置が容易で、再構成可能で、再利用可能で、衛生で多目的な運搬機をもたらす。
【００６６】
図３８に示されるように、コンベアフレーム２’は、可搬のための衛生車輪を含んでいてもよい。
【００６７】
本発明は、特定の型に関して記述されたが、他の型も可能である。発明の範囲は、上述された例となる型に限定されるものではない。
【図１】
0006345256.tif 000002
【図２】
0006345256.tif 000003
【図３Ａ】
0006345256.tif 000004
【図３Ｂ】
0006345256.tif 000005
【図３Ｃ】
0006345256.tif 000006
【図４】
0006345256.tif 000007
【図５Ａ】
0006345256.tif 000008
【図５Ｂ】
0006345256.tif 000009
【図６Ａ】
0006345256.tif 000010
【図６Ｂ】
0006345256.tif 000011
【図７】
0006345256.tif 000012
【図８】
0006345256.tif 000013
【図９】
0006345256.tif 000014
【図１０】
0006345256.tif 000015
【図１１Ａ】
0006345256.tif 000016
【図１１Ｂ】
0006345256.tif 000017
【図１２】
0006345256.tif 000018
【図１３】
0006345256.tif 000019
【図１４Ａ】
0006345256.tif 000020
【図１４Ｂ】
0006345256.tif 000021
【図１５Ａ】
0006345256.tif 000022
【図１５Ｂ】
0006345256.tif 000023
【図１６】
0006345256.tif 000024
【図１７】
0006345256.tif 000025
【図１８】
0006345256.tif 000026
【図１９】
0006345256.tif 000027
【図２０】
0006345256.tif 000028
【図２１Ａ】
0006345256.tif 000029
【図２１Ｂ】
0006345256.tif 000030
【図２２Ａ】
0006345256.tif 000031
【図２２Ｂ】
0006345256.tif 000032
【図２２Ｃ】
0006345256.tif 000033
【図２３Ａ】
0006345256.tif 000034
【図２３Ｂ】
0006345256.tif 000035
【図２４Ａ】
0006345256.tif 000036
【図２４Ｂ】
0006345256.tif 000037
【図２５】
0006345256.tif 000038
【図２６Ａ】
0006345256.tif 000039
【図２６Ｂ】
0006345256.tif 000040
【図２７】
0006345256.tif 000041
【図２８Ａ】
0006345256.tif 000042
【図２８Ｂ】
0006345256.tif 000043
【図２９Ａ】
0006345256.tif 000044
【図２９Ｂ】
0006345256.tif 000045
【図３０Ａ】
0006345256.tif 000046
【図３０Ｂ】
0006345256.tif 000047
【図３１】
0006345256.tif 000048
【図３２】
0006345256.tif 000049
【図３３Ａ】
0006345256.tif 000050
【図３３Ｂ】
0006345256.tif 000051
【図３３Ｃ】
0006345256.tif 000052
【図３４】
0006345256.tif 000053
【図３５】
0006345256.tif 000054
【図３６】
0006345256.tif 000055
【図３７】
0006345256.tif 000056
【図３８】
0006345256.tif 000057